(57)【要約】【課題】圃場で収穫したまま越冬させたキャベツを春先に土の付着なしで簡単に回収できるようにすること。【解決手段】車体前部にキャベツの茎切断用カッター部を装備し、車体中央の移送帯の入り口側端部をこの茎切断用カッター部の後方に臨ませると共に、移送帯の出口側端部を車体後部に位置させ、この出口側端部下方にマルチフィルムのフィルムロールを左右方向に横架し、キャベツを収穫しながらマルチフィルムを敷設して、このフィルムの上にキャベツを置いて冬を越させる。【選択図】図１
2012157308.tif 000002
【特許請求の範囲】
【請求項１】
自走する車体の前部にキャベツの茎切断用カッター部を装備し、車体中央に設置する前後に長い無端式移送帯の入り口側端部を前記茎切断用カッター部の後方に臨ませると共に、出口側端部を車体後部に位置させ、さらにこの出口側端部下方にマルチフィルムのフィルムロールを左右方向に横架して成る越冬キャベツ収穫装置。
【請求項２】
前記移送帯の出口側端部とフィルムロールの中間に、後方に低く傾斜した庇状の滑落板を設置して成る請求項１記載の越冬キャベツ収穫装置。
【請求項３】
前記茎切断用カッターを左右２セット装備し、これらの後方に移送帯の入り口側端部を臨ませて成る越冬キャベツＣ収穫装置。
【発明の詳細な説明】
【技術分野】
【０００１】
北海道のような寒冷地では、秋遅く収穫したキャベツを、茎を切ったままの状態で圃場に置き去りにし、冬を越し、葉もの野菜の少ない春先になって出荷することがある。これを越冬キャベツと称し甘く味が良いため消費者に好まれる。
本発明は、このような越冬キャベツ用の収穫機械に関するものである。
【背景技術】
【０００２】
普通のキャベツの収穫作業を機械化した発明は従来公知である。
例えば、特許文献１では、自走する車体の前部にカッターを備えて、キャベツの植付条に沿って移動しながら、キャベツの茎を地表に近い位置で順次切断し、それを車体中央に設置するコンベアで車体後部に移送して後方に連結した集積車に収容する。
この機械から集積車を切り離し、取ったキャベツを車体後部からそのまま圃場に放出すれば、冬の間に雪に埋もれて越冬キャベツが得られる。
【先行技術文献】
【特許文献】
【０００３】
【特許文献１】特開２００９-５６２６号公報
【発明の概要】
【発明が解決しようとする課題】
【０００４】
ところが単純にキャベツを圃場に放置しただけでは、出荷する春先になって残雪の中から掘り出すのに、ぬかるんだ圃場に足を取られて重労働であるうえ、大切なキャベツに土が付着して出荷前に洗い落す手間がいる。従来のキャベツ収穫機械では、この点が解決できず、問題になっていた。
【０００５】
本発明は、このような越冬キャベツに固有の問題を解消するもので、残雪の中から前年のキャベツを土の付着がない状態で簡単に取り出せることを目的とする。
【課題を解決するための手段】
【０００６】
請求項１に係る発明は、自走する車体の前部にキャベツの茎切断用カッター部を装備し、車体中央に設置する前後に長い無端式移送帯の入り口側端部を前記茎切断用カッター部の後方に臨ませると共に、出口側端部を車体後部に位置させ、さらにこの出口側端部下方にマルチフィルムのフィルムロールを左右方向に横架する構成である。
圃場のキャベツはカッターで茎を切断されたのち、移送帯に乗って車体後部へ移送され、移送帯の出口側端部から機外に放出される。他方、車体の移動に伴い、フィルムロールから繰り出たマルチフィルムが地表に敷設されるので、放出されたキャベツはそのマルチフィルムの上に落下する。
【０００７】
請求項２に係る発明は、請求項１の移送帯の出口側端部とフィルムロールの中間に、後方に低く傾斜した庇状の滑落板を設置する構成である。
これにより移送帯の出口側端部より放出されたキャベツは、先ず滑落板の上に落ち、そこを転がってその後縁からマルチフィルムの上に落下する。
【０００８】
請求項３に係る発明は、請求項１の構成において、茎切断用カッターを左右２セット装備し、これらの後方に移送帯の入り口側端部を臨ませる構成である。
これら左右２セットの茎切断用カッターにより２条の畝のキャベツを同時に収穫して、これを１台の移送帯を経て１本のマルチフィルムの上に集める。
【発明の効果】
【０００９】
請求項１の発明によれば、車体後部にフィルムロールを横架し、移送帯の出口側端部から機外に放出されたキャベツを地表に敷設したマルチフィルムの上に落下するので、キャベツに土が付着しない。翌春、残雪を掘ってマルチフィルムの裾をまくれば、キャベツがフィルム中央に集まるため、キャベツを綺麗なまま簡単に回収できるという効果がある。
【００１０】
請求項２の発明によれば、キャベツはいちど滑落板の上に落ちてから地上に落下するので、落下の衝撃が緩和され、キャベツが損傷しないという効果がある。
【００１１】
請求項３の発明によれば、２条の畝のキャベツを同時に収穫でき作業効率が良いうえ、２条のキャベツを１本のマルチフィルムに集めるので、フィルムの節約にもなり経済であるという効果がある。
【図面の簡単な説明】
【００１２】
【図１】本発明装置の全体側面図
【図２】図１の茎切断用カッター付近の拡大平面図
【図３】図１の装置の作用説明図
【図４】図１の装置のマルチフィルムを説明する拡大平面図
【図５】図４の横断面図
【発明を実施するための形態】
【００１３】
本発明の実施の形態を図に示して説明する。
１はクローラ２により自走する車体で、３はエンジン、４は運転席、及び５は運転台とクローラを連結する支脚フレームをそれぞれ示す。
６は車体１の前部に連結するカッター部である。その構造は図２に示すとおりの２条刈りで、前後に平行な前フレーム７と後フレーム８の間に、２本１組の挟持ベルト７を２組張り渡す。９は後フレーム８に沿って架設したベルト駆動軸で、その外端１０にエンジン３を連結する。
後フレーム８には挟持ベルト７の駆動側プーリ１１を設け、これをベベルギア（図示省略）などを介してベルト駆動軸９に接続する。また前フレーム７には挟持ベルト７の受動側プーリ１２を設ける。
図中、１３は緊張プーリで、バネ１４の弾力で挟持ベルト７のたるみを取り、挟持ベルト７を弾力的に緊張する。
各組の挟持ベルト７の下方に、円板カッター１５を配備する。１６は円板カッター１５に回転動力を伝えるカッター回転軸である。１７は小径の遊転カッターで、円板カッター１５に重なるように配置し、両カッターの外周に形成した刃先を交差させる。
１８は、傘の骨のように、細い金属製の案内ロッドが複数本放射状に広がった分草体で、前フレーム７より前方に突出すように中央と左右に３体設ける。
【００１４】
１９は前後に長い無端の移送帯で、車体１の中央に設置し、後方に向け高く傾斜させる。この移送帯１９は、その入り口側端部が茎切断用カッター部６の後方に臨んでいて、２組の挟持ベルト７の終端部下方に位置している。
また車体１の後部に位置する移送帯１９の出口側端部には、後方に低く傾斜する庇状の滑落板２０を接続する。
２１はマルチフィルム２２を巻いたフィルムロールで、滑落板２０の下方に横架する。２３は突き出しロールで、これによりマルチフィルムの中央部のたるみを取り除く。
なおフィルムロール２１を移送帯１９の下方で出口側端部より前方に設置する場合は、滑落板２０は省略できる。
【００１５】
次に作用を説明する。
図の例では、車体１がキャベツＣを植え付けた畝２本を跨ぐように移動し、２条のキャベツＣを同時に収穫する。
キャベツＣは外葉が分草体１８でめくり上げられながら、挟持ベルト７、７の間に案内され、ベルトに挟まれながら円板カッター１５と遊転カッター１７の交点で茎が切断され、いわゆる玉の部分が根と切り離され、玉だけが挟持ベルト７の終端部からその下方の移送帯１９の上に運ばれる。
そして移送帯１９により車体１の後部の出口側端部に移送され、そこから滑落板２０の上に落ちる。
一方、フィルムロール２１からは車体の移動に伴いマルチフィルム２２が巻き解かれて地上に敷設されているため、滑落板２０に落ちたキャベツＣは、このマルチフィルム２２の上に落下する（図３，４参照)。
このように２条のキャベツＣは一本のマルチフィルム２２の上に集まり、やがて雪がその上に積もってそのまま越冬する（図５参照）。
春先になったら、残雪の中からキャベツＣを掘り出し出荷する。
【００１６】
このように本発明によればキャベツＣは、マルチフィルム２２の上に置かれ地面に触れないから土が付着しない。従って、越冬キャベツとして出荷する際、従来のように地表面に放置されたものと違い、洗浄の必要がないばかりか、マルチフィルム２２の裾をめくり上げれば、畝溝にキャベツＣが転がるので取り込みが容易で労力が大幅に軽減できる。
【符号の説明】
【００１７】
１は車体
２はクローラ
５は支脚フレーム
６はカッター部
７は前フレーム７
８は後フレーム８
９はベルト駆動軸
１０はベルト駆動軸の外端
１１は駆動側プーリ
１２は受動側プーリ
１３は緊張プーリ
１４はバネ１４
１５は円板カッター
１６はカッター回転軸
１７は遊転カッター
１８は分草体
１９は移送帯
２０は滑落板
２１はフィルムロール
２２はマルチフィルム
Ｃはキャベツ
【図１】
2012157308.tif 000003
【図２】
2012157308.tif 000004
【図３】
2012157308.tif 000005
【図４】
2012157308.tif 000006
【図５】
2012157308.tif 000007